【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
シーケンシャルに配信されるべきコンテンツを、複数の断片に分割して、その断片のそれぞれは正常な視聴可能性が維持された断片化コンテンツデータを得るコンテンツ分割部と、
前記断片化コンテンツデータを、ランダムな順序で記憶装置に格納するコンテンツ格納部と、
受信装置から送信されるプレビュー要求を解析し、前記記憶装置に格納された前記断片化コンテンツデータの一部を読み出すと共に、前記受信装置から送信される、ランダムな順序で前記記憶装置に格納された前記断片化コンテンツデータの再生順序を記述する配信要求を解析し、該配信要求中で指定された前記再生順序に従って、前記記憶装置に格納された前記断片化コンテンツデータを読み出す配信要求解析部と、
読み出された前記断片化コンテンツデータを、読み出し順序に従ってシーケンシャルに配信するコンテンツ配信部とを具備し、
前記受信装置から送信される前記配信要求中の前記再生順序は、前記コンテンツの購入処理後に、前記コンテンツの購入を許可するライセンスサーバにより指定される
ことを特徴とするシーケンシャル・コンテンツ配信装置。
【請求項２】
前記コンテンツ配信部は、読み出された前記断片化コンテンツデータのそれぞれを暗号化して、シーケンシャルに配信する
ことを特徴とする請求項１に記載のシーケンシャル・コンテンツ配信装置。
【請求項３】
前記コンテンツ格納部は、前記断片化コンテンツデータを前記記憶装置に格納した順序を記憶保持し、
前記配信要求解析部は、前記配信要求中で指定された前記再生順序と、前記記憶保持された格納順序とが一致した場合にのみ、前記コンテンツ配信部に、前記断片化コンテンツデータの配信を指示する
ことを特徴とする請求項１又は２に記載のシーケンシャル・コンテンツ配信装置。
【請求項４】
前記コンテンツ格納部は、前記断片化コンテンツデータを前記記憶装置に格納した順序を記憶保持し、
前記配信要求解析部は、前記配信要求中で指定された前記再生順序と、前記記憶保持された格納順序とが一致しない場合には、前記コンテンツ全体より短い所定の長さ分のみ、前記コンテンツ配信部に、前記配信要求中で指定された前記再生順序どおりでの、前記断片化コンテンツデータの配信を指示する
ことを特徴とする請求項１又は２に記載のシーケンシャル・コンテンツ配信装置。
【請求項５】
シーケンシャルに配信されるべきコンテンツを、複数の断片に分割して、その断片のそれぞれは正常な視聴可能性が維持された断片化コンテンツデータであって、コンテンツ配信装置の記憶装置上にランダムに格納された前記断片化コンテンツデータの正常な再生順序を入力するシーケンス入力部と、
前記コンテンツのプレビュー要求を生成し、前記コンテンツ配信装置に送信するプレビュー要求部と、
入力された前記再生順序を含んで、コンテンツの配信要求を生成し、前記コンテンツ配信装置に送信するコンテンツ要求部とを具備し、
前記配信要求中の前記再生順序は、前記コンテンツの購入処理後に、前記コンテンツの購入を許可するライセンスサーバにより指定され、
前記コンテンツ配信装置から配信された断片化コンテンツデータは、結合されて、又は受信された順序どおりにシーケンシャルに再生される
ことを特徴とするシーケンシャル・コンテンツ配信要求装置。
【請求項６】
上記シーケンシャル・コンテンツ配信要求装置は、さらに、配信された断片化コンテンツデータを受信するコンテンツ受信部と、
受信された断片化コンテンツデータを、結合し、又は受信された順序どおりに再生するコンテンツ再生部とを具備する
ことを特徴とする請求項５に記載のシーケンシャル・コンテンツ配信要求装置。
【請求項７】
シーケンシャルに配信されるべきコンテンツを、複数の断片に分割して、その断片のそれぞれは正常な視聴可能性が維持された断片化コンテンツデータを得るコンテンツ分割部と、
前記断片化コンテンツデータを、該断片化コンテンツデータの次の断片化コンテンツデータの記憶装置内の記憶位置を示す位置情報と関連付けて、ランダムな順序で前記記憶装置に格納するコンテンツ格納部と、
受信装置から送信されるプレビュー要求を解析し、前記記憶装置に格納された前記断片化コンテンツデータの一部を読み出すと共に、前記受信装置から送信される、ランダムな順序で前記記憶装置に格納された前記断片化コンテンツデータの再生順序を記述する配信要求を解析し、該配信要求中で指定された前記再生順序に従って、前記記憶装置に格納された前記断片化コンテンツデータ、及び該断片化コンテンツデータの次の断片化コンテンツデータの位置情報を読み出す配信要求解析部と、
読み出された前記断片化コンテンツデータ、及び該断片化コンテンツデータの次の断片化コンテンツデータの位置情報を、前記配信要求中で指定された前記再生順序に従ってシーケンシャルに配信するコンテンツ配信部とを具備し、
前記受信装置から送信される前記配信要求中の前記再生順序は、前記コンテンツの購入処理後に、前記コンテンツの購入を許可するライセンスサーバにより指定される
ことを特徴とするシーケンシャル・コンテンツ配信装置。
【請求項８】
シーケンシャルに配信されるべきコンテンツを、複数の断片に分割して、その断片のそれぞれは正常な視聴可能性が維持された断片化コンテンツデータであって、コンテンツ配信装置の記憶装置上にランダムに格納された前記断片化コンテンツデータの、コンテンツ配信装置側における前記記憶装置上の位置情報を入力する位置情報入力部と、
前記コンテンツのプレビュー要求を生成し、前記コンテンツ配信装置に送信するプレビュー要求部と、
入力された位置情報及び前記コンテンツ配信装置から受信された位置情報を含んで、コンテンツの配信要求を生成し、前記コンテンツ配信装置に送信するコンテンツ要求部とを具備し、
前記配信要求中の前記再生順序は、前記コンテンツの購入処理後に、前記コンテンツの購入を許可するライセンスサーバにより指定され、
前記コンテンツ配信装置から配信された断片化コンテンツデータは、結合されて、又は受信された順番どおりに順次再生される
ことを特徴とするシーケンシャル・コンテンツ配信要求装置。
【請求項９】
シーケンシャルに配信されるべきコンテンツを、複数の断片に分割して、その断片のそれぞれは正常な視聴可能性が維持された断片化コンテンツデータを得るステップと、
前記断片化コンテンツデータを、ランダムな順序で記憶装置に格納するステップと、
受信装置から送信されるプレビュー要求を解析し、前記記憶装置に格納された前記断片化コンテンツデータの一部を読み出すと共に、前記受信装置から、ランダムな順序で前記記憶装置に格納された前記断片化コンテンツデータの再生順序を記述する配信要求を解析し、配信要求中で指定された前記再生順序に従って、前記記憶装置に格納された前記断片化コンテンツデータを読み出すステップと、
読み出された前記断片化コンテンツデータを、前記配信要求中で指定された前記再生順序に従ってシーケンシャルに配信するステップとを含み、
前記受信装置から送信される前記配信要求中の前記再生順序は、前記コンテンツの購入処理後に、前記コンテンツの購入を許可するライセンスサーバにより指定される
ことを特徴とするシーケンシャル・コンテンツ配信方法。
【請求項１０】
シーケンシャルに配信されるべきコンテンツを、複数の断片に分割して、その断片のそれぞれは正常な視聴可能性が維持された断片化コンテンツデータであって、コンテンツ配信装置の記憶装置上にランダムに格納された前記断片化コンテンツデータの、正常な再生順序を入力するステップと、
前記コンテンツのプレビュー要求を生成し、前記コンテンツ配信装置に送信するステップと、
入力された前記順序を含んで、コンテンツの配信要求を生成し、前記コンテンツ配信装置に送信するステップとを含み、
前記配信要求中の前記再生順序は、前記コンテンツの購入処理後に、前記コンテンツの購入を許可するライセンスサーバにより指定され、
配信された断片化コンテンツデータは、結合されて、又は受信された順番どおりに再生される
ことを特徴とするシーケンシャル・コンテンツ配信要求方法。
【請求項１１】
シーケンシャルに配信されるべきコンテンツを、複数の断片に分割して、その断片のそれぞれは正常な視聴可能性が維持された断片化コンテンツデータを得るステップと、
前記断片化コンテンツデータを、該断片化コンテンツデータの次の断片化コンテンツデータの記憶装置内の記憶位置を示す位置情報と関連付けて、ランダムな順序で前記記憶装置に格納するステップと、
受信装置から送信されるプレビュー要求を解析し、前記記憶装置に格納された前記断片化コンテンツデータの一部を読み出すと共に、前記受信装置から送信される、ランダムな順序で前記記憶装置に格納された前記断片化コンテンツデータの再生順序を記述する配信要求を解析し、該配信要求中で指定された前記再生順序に従って、前記記憶装置に格納された前記断片化コンテンツデータ、及び該断片化コンテンツデータの次の断片化コンテンツデータの位置情報を読み出すステップと、
読み出された前記断片化コンテンツデータ、及び該断片化コンテンツデータの次の断片化コンテンツデータの位置情報を、前記配信要求中で指定された前記再生順序に従ってシーケンシャルに配信するステップとを含み、
前記受信装置から送信される前記配信要求中の前記再生順序は、前記コンテンツの購入処理後に、前記コンテンツの購入を許可するライセンスサーバにより指定される
ことを特徴とするシーケンシャル・コンテンツ配信方法。
【請求項１２】
シーケンシャルに配信されるべきコンテンツを、複数の断片に分割して、その断片のそれぞれは正常な視聴可能性が維持された断片化コンテンツデータであって、コンテンツ配信装置の記憶装置上にランダムに格納された前記断片化コンテンツデータの、コンテンツ配信装置側における前記記憶装置上の位置情報を入力するステップと、
前記コンテンツのプレビュー要求を生成し、前記コンテンツ配信装置に送信するステップと、
入力された位置情報及び前記コンテンツ配信装置から受信された位置情報を含んで、コンテンツの配信要求を生成し、前記コンテンツ配信装置に送信するステップとを含み、
前記配信要求中の前記再生順序は、前記コンテンツの購入処理後に、前記コンテンツの購入を許可するライセンスサーバにより指定され、
前記コンテンツ配信装置から配信された断片化コンテンツデータは、結合されて、又は受信された順番どおりに順次再生される
ことを特徴とするシーケンシャル・コンテンツ配信要求方法。
【請求項１３】
シーケンシャル・コンテンツ配信処理をコンピュータに実行させるためのシーケンシャル・コンテンツ配信プログラムであって、該プログラムは、前記コンピュータに、
シーケンシャルに配信されるべきコンテンツを、複数の断片に分割して、その断片のそれぞれは正常な視聴可能性が維持された断片化コンテンツデータを得るコンテンツ分割処理と、
前記断片化コンテンツデータを、ランダムな順序で記憶装置に格納するコンテンツ格納処理と、
受信装置から送信されるプレビュー要求を解析し、前記記憶装置に格納された前記断片化コンテンツデータの一部を読み出すと共に、前記受信装置から送信される、ランダムな順序で前記記憶装置に格納された前記断片化コンテンツデータの再生順序を記述する配信要求を解析し、該配信要求中で指定された前記再生順序に従って、前記記憶装置に格納された前記断片化コンテンツデータを読み出す配信要求解析処理と、
読み出された前記断片化コンテンツデータを、前記配信要求中で指定された前記再生順序に従ってシーケンシャルに配信するコンテンツ配信処理とを含む
処理を実行させるためのものであり、
前記受信装置から送信される前記配信要求中の前記再生順序は、前記コンテンツの購入処理後に、前記コンテンツの購入を許可するライセンスサーバにより指定されることを特徴とするシーケンシャル・コンテンツ配信プログラム。
【請求項１４】
シーケンシャル・コンテンツ配信処理をコンピュータに実行させるためのシーケンシャル・コンテンツ配信要求プログラムであって、該プログラムは、前記コンピュータに、
シーケンシャルに配信されるべきコンテンツを、複数の断片に分割して、その断片のそれぞれは正常な視聴可能性が維持された断片化コンテンツデータであって、コンテンツ配信装置の記憶装置上にランダムに格納された前記断片化コンテンツデータの再生順序を入力するシーケンス入力処理と、
前記コンテンツのプレビュー要求を生成し、前記コンテンツ配信装置に送信するプレビュー要求処理と、
入力された前記再生順序を含んで、コンテンツの配信要求を生成し、前記コンテンツ配信装置に送信するコンテンツ要求処理とを含む処理を実行させるものであって、
前記配信要求中の前記再生順序は、前記コンテンツの購入処理後に、前記コンテンツの購入を許可するライセンスサーバにより指定され、
前記コンテンツ配信装置から配信された断片化コンテンツデータは、結合されて、又は受信された順序どおりにシーケンシャルに再生される
ことを特徴とするシーケンシャル・コンテンツ配信要求プログラム。
【請求項１５】
シーケンシャル・コンテンツ配信処理をコンピュータに実行させるためのシーケンシャル・コンテンツ配信プログラムであって、該プログラムは、前記コンピュータに、
シーケンシャルに配信されるべきコンテンツを、複数の断片に分割して、その断片のそれぞれは正常な視聴可能性が維持された断片化コンテンツデータを得るコンテンツ分割処理と、
前記断片化コンテンツデータを、該断片化コンテンツデータの次の断片化コンテンツデータの記憶装置内の記憶位置を示す位置情報と関連付けて、ランダムな順序で前記記憶装置に格納するコンテンツ格納処理と、
受信装置から送信されるプレビュー要求を解析し、前記記憶装置に格納された前記断片化コンテンツデータの一部を読み出すと共に、前記受信装置から送信される、ランダムな順序で前記記憶装置に格納された前記断片化コンテンツデータの再生順序を記述する配信要求を解析し、該配信要求中で指定された前記再生順序に従って、前記記憶装置に格納された前記断片化コンテンツデータ、及び該断片化コンテンツデータの次の断片化コンテンツデータの位置情報を読み出す配信要求解析処理と、
読み出された前記断片化コンテンツデータ、及び該断片化コンテンツデータの次の断片化コンテンツデータの位置情報を、前記配信要求中で指定された前記再生順序に従ってシーケンシャルに配信するコンテンツ配信処理とを含む処理を実行させるものであり、
前記受信装置から送信される前記配信要求中の前記再生順序は、前記コンテンツの購入処理後に、前記コンテンツの購入を許可するライセンスサーバにより指定される
ことを特徴とするシーケンシャル・コンテンツ配信プログラム。
【請求項１６】
シーケンシャル・コンテンツ配信要求処理をコンピュータに実行させるためのシーケンシャル・コンテンツ配信要求プログラムであって、該プログラムは、前記コンピュータに、
シーケンシャルに配信されるべきコンテンツを、複数の断片に分割して、その断片のそれぞれは正常な視聴可能性が維持された断片化コンテンツデータであって、コンテンツ配信装置の記憶装置上にランダムに格納された前記断片化コンテンツデータの、コンテンツ配信装置側における前記記憶装置上の位置情報を入力する位置情報入力処理と、
前記コンテンツのプレビュー要求を生成し、前記コンテンツ配信装置に送信するプレビュー要求処理と、
入力された位置情報及び前記コンテンツ配信装置から受信された位置情報を含んで、コンテンツの配信要求を生成し、前記コンテンツ配信装置に送信するコンテンツ要求処理とを含む処理を実行させるものであり、
前記配信要求中の前記再生順序は、前記コンテンツの購入処理後に、前記コンテンツの購入を許可するライセンスサーバにより指定され、
前記コンテンツ配信装置から配信された断片化コンテンツデータは、結合されて、又は受信された順番どおりに順次再生される
ことを特徴とするシーケンシャル・コンテンツ配信要求プログラム。
【請求項１７】
シーケンシャルに配信されるべきコンテンツを、複数の断片に分割して、その断片のそれぞれは正常な視聴可能性が維持された断片化コンテンツデータを得るコンテンツ分割部と、
前記断片化コンテンツデータを、ランダムな順序で記憶装置に格納すると共に、分割前のコンテンツを別途保持格納しないコンテンツ格納部と、
受信装置から送信される、ランダムな順序で前記記憶装置に格納された前記断片化コンテンツデータの再生順序を記述する配信要求を解析し、該配信要求中で指定された前記再生順序に従って、前記記憶装置に格納された前記断片化コンテンツデータを読み出すと共に、前記受信装置から送信されるプレビュー要求に応答して前記断片化コンテンツデータを前記記憶装置に格納されたランダムな順序で読み出す配信要求解析部と、
読み出された前記断片化コンテンツデータを、読み出された順序でシーケンシャルに配信するコンテンツ配信部とを具備し、
前記受信装置が送信する前記配信要求中の前記再生順序は、前記コンテンツの購入処理後に、前記コンテンツの購入を許可するライセンスサーバにより指定され、
配信される前記断片化コンテンツデータは、再生順序を示す識別子を含まない
ことを特徴とするシーケンシャル・コンテンツ配信装置。